(57)【要約】      （修正有）【課題】簡単な構造で、かつ、見栄えの良い立体型植栽器を提供する。【解決手段】内部に水を収集する取付座１１を上面に有してなる貯水箱１０と、下端側が取付座１１に嵌入されて貯水箱１０の上面に直立状態で設置される多段型植木鉢体２０を備えるとともに、多段型植木鉢体２０は、互いに積み重ね可能で、かつ底板に水通孔を有する複数の小箱体３０，３０Ａで構成されてなり、貯水箱１０は、多段型植木鉢体２０内に灌水して余った水を取付座１１を通して収集するようにした。【選択図】図１
0003168954.tif 000002
【実用新案登録請求の範囲】
【請求項１】
内部に水を収集する取付座１１を上面に有してなる貯水箱１０と、
下端側が前記取付座１１に嵌入されて前記貯水箱１０の上面に直立状態で設置される多段型植木鉢体２０を備えるとともに、
該多段型植木鉢体２０は、互いに積み重ね可能で、かつ底板３４，３４Ａに水通孔３３，３３Ａを有する複数の小箱体３０，３０Ａで構成されてなり、
前記貯水箱１０は、前記多段型植木鉢体２０内に灌水して余った水を前記取付座１１を通して収集可能にしてなることを特徴とする立体型植栽器。
【請求項２】
上記小箱体３０，３０Ａの本体部３１，３１Ａの外周に、該本体部３１，３１Ａから外側に向かって突出してなる複数個の植え込み凸体３２，３２Ａを、該本体部３１，３１Ａの外周に沿って略等間隔で設けてなることを特徴とする請求項１記載の立体型植栽器。
【請求項３】
上記小箱体３０，３０Ａの植え込み凸体３２と植え込み凸体３２の間の各周縁部にそれぞれ外側に向かって水平に突設されてなる辺縁部３６を設けるとともに、各植え込み凸体３２の外側底面に前記辺縁部３６と係合可能な係合溝３５１を有する当接片３５を設けてなることを特徴とする請求項２記載の立体型植栽器。
【請求項４】
上記取付座１１内には、水通孔１４が形成された底板１３を設けてなることを特徴とする請求項１,２または３記載の立体型植栽器。
【請求項５】
上記貯水箱１０の上面に、該貯水箱１０内の水を排出する開閉可能な開閉蓋１２を設けてなることを特徴とする請求項１,２,３または４記載の立体型植栽器。
【考案の詳細な説明】
【技術分野】
【０００１】
本考案は立体型植栽器に関するものであり、特に、観賞用の草花の植栽及び野菜或いは果物等を栽培するための立体型植栽器に関するものである。
【背景技術】
【０００２】
従来、草花を植え込んで鑑賞する植栽器、及び野菜或いは果物を植えて栽培する植栽器は知られている。しかしながら、従来の植栽器は、一般に草花及び野菜、果物等を植え込むスペースが少ない。
【０００３】
そして、大きな植え込みスペースを確保するには、大きな植栽器と比較的大きな設置場所が必要となり非常に不便であった。
【０００４】
そこで、従来、植え込みスペースを多く確保できるようにするための手段として、特許文献１(中国特許第９８２０７９１４．１号)及び特許文献２(中国特許第２００７２００５６９８５．５号)が提案されている。
【０００５】
特許文献１に記載の「立体植え込み架」案は、一種の立体植物架であり、その技術内容には「一種の立体植え込み架、それは支柱、夾持、多数個の支柱用の連桿から、或いは固定架と一緒に固定され、或いは単個の支柱を用いたのを包含する。支柱上には多層の夾持を設けて植え込み架を組成し、多層の植え込み箱を受け止めるのに用いる。そして上下の夾持間の距離は、植え込み箱の高度から定まる。これは植え込み箱が自由に取り出され、また空間ほどを浪費しない。夾持は支柱上において多数個の上下位置調節の固定点があり、もって植え込み架が同じでない高度の植み込み箱に適応される。それは単位面積の産量を向上すために設計され、多層立体植え込みに充分な空間の利用ができ、植え込み箱が自由に取り出され、また空間を浪費せず、生産操作に方便である。」等が開示されている。
【０００６】
特許文献２に記載の「植物立体的植え込み箱」案は，一種の立体植物を開示しており、その技術内容には「植え込み箱の箱体，箱体の底部に凹槽を成形しており、凹槽は箱体底部を貫通し、該凹槽は二条、かつ、相互に平行しており、植え込み箱体の底部に吊り下げに用いる凹槽を成形している。このため、ただ直立壁面、傾斜壁面、或いは曲面上に支架を架設し、支架の支桿を植え込み箱の凹槽内に嵌めれば、植え込み箱を支架上に固定懸けることができる。したがって直立壁面、傾斜壁面、曲面の立体装飾を実現する。」等が開示されている。
【先行技術文献】
【特許文献】
【０００７】
【特許文献１】中国特許第９８２０７９１４．１号公報。
【特許文献２】中国特許第２００７２００５６９８５．５号公報。
【考案の概要】
【考案が解決しようとする課題】
【０００８】
上述した特許文献１及び特許文献２に記載の立体植え込み架は、単位面積当たりの植え込み量を向上させることができる。しかしながら、従来の立体植物植え込み架或いは植え込み箱の構造は相当複雑であり、また外観上の見栄えが悪いという問題点があった。
【０００９】
そこで、簡単な構造で、かつ、見栄えの良い立体型植栽器を提供するために解決すべき技術的課題が生じてくるのであり、本考案はこの課題を解決することを目的とする。
【課題を解決するための手段】
【００１０】
本考案は上記目的を達成するために提案されたものであり、請求項１記載の発明は、内部に水を収集する取付座１１を上面に有してなる貯水箱１０と、下端側が前記取付座１１に嵌入されて前記貯水箱１０の上面に直立状態で設置される多段型植木鉢体２０を備えるとともに、該多段型植木鉢体２０は、互いに積み重ね可能で、かつ底板３４，３４Ａに水通孔３３，３３Ａを有する複数の小箱体３０，３０Ａで構成されてなり、前記貯水箱１０は、前記多段型植木鉢体２０内に灌水して余った水を前記取付座１１を通して収集可能にしてなる立体型植栽器を提供する。
【００１１】
この構成によれば、複数個の小箱体３０，３０Ａを順に積み重ねると、多段型植木鉢体２０を組み立てることができ、さらに該多段型植木鉢体２０の下端を、貯水箱１０の上面に設けた取付座１１に嵌入させると、該多段型植木鉢体２０を貯水箱１０の上面に直立状態で設置することができる。
【００１２】
そして、組立後は、小箱体３０，３０Ａの内部に培養土を入れ、その培養土中に草花、野菜、果物等を植え込むと、それを栽培することができ、同時に観賞性が得られる。また、多段型植木鉢体２０は小箱体３０，３０Ａを積み重ねて直立の状態で設置されるので、占有スペースも小さくて済む。
【００１３】
さらに、小箱体３０，３０Ａの底板３４，３４Ａに水通孔３３，３３Ａを設けているので、多段型植木鉢体２０の上側から灌水すると、底板３４，３４Ａの水通孔３３，３３Ａを通って水が下側の小箱体３０，３０Ａ内に向かって順に流れる。また、最底端まで到達して余った水は、取付座１１を通して貯水箱１０内に収集され、この水を次の灌水用として使用できる。
【００１４】
請求項２に記載の考案は、請求項１記載の構成において、上記小箱体３０，３０Ａの本体部３１，３１Ａの外周に、該本体部３１，３１Ａ外側に向かって各々突出してなる複数個の植え込み凸体３２，３２Ａを前記外周に沿って略等間隔で設けてなる立体型植栽器を提供する。
【００１５】
この構成によれば、本体部３１，３１Ａの外周に、植え込み凸体３２，３２Ａによる複数の植栽スペースが得られる。
【００１６】
請求項３に記載の考案は、請求項２記載の構成において、上記小箱体３０，３０Ａの植え込み凸体３２と植え込み凸体３２の間の各周縁部にそれぞれ外側に向かって水平に突設されてなる辺縁部３６を設けるとともに、各植え込み凸体３２の外側底面に前記辺縁部３６と係合可能な係合溝３５１を有する当接片３５を設けてなる立体型植栽器を提供する。
【００１７】
この構成によれば、積み重ねられた上下の小箱体３０，３０Ａの間において、小箱体同志を互いに水平方向に回転させて、辺縁部３６と係合溝３５１を互いに係合させると、上下の小箱体３０，３０Ａ同志が順に係合固定され、安定性のある多段型植木鉢体２０が得られる。
【００１８】
請求項４に記載の考案は、請求項１,２または３記載の構成において、上記取付座内には、水通孔１４が形成された底板を設けてなる立体型植栽器を提供する。
【００１９】
この構成によれば、取付座１１に収集された水は、その水通孔１４を通して貯水箱１０内に収集され、水通孔１４よりも大きな培養土等は取付座１１の底板１３の部分で捕まえられて貯水箱１０内に入らないようにすることができる。
【００２０】
請求項４に記載の考案は、請求項１,２，３または４記載の構成において、上記貯水箱１０の上面に、該貯水箱１０内の水を排出する開閉可能な開閉蓋１２を設けてなる立体型植栽器を提供する。
【００２１】
この構成によれば、貯水箱１０内に収集されて溜まった水を、開閉蓋１２を開けて取り出し、この取り出した水を次の灌水用に使用することができる。
【考案の効果】
【００２２】
この構成によれば、小箱体３０，３０Ａを順に積み重ねて多段型植木鉢体２０を形成し、これを貯水箱１０の取付座１１に嵌入して取り付けるので、立体型植栽器を簡単に組み立てて使用することができる。
【００２３】
また、組立後は、小箱体３０，３０Ａの内部に培養土を入れ、その培養土中に草花、野菜、果物等を植え込むとことにより、その栽培ができ、同時に観賞することができる。
【００２４】
さらに、小箱体３０，３０Ａを積み重ねて、直立した多段型植木鉢体２０を形成するようにしているので、占有スペースを小さくすることができる。
【００２５】
また、さらに多段型植木鉢体２０の上側から灌水すると、底板３４，３４Ａの水通孔３３，３３Ａを通って下側の小箱体３０，３０Ａ内に向かって順に流れ、全ての小箱体３０，３０Ａ内をそれぞれ灌水することができる。さらに、最底端まで到達して余った水は、取付座１１を通して貯水箱１０内に収集され、この水を次の灌水用として使用できることができるので、水の有効利用が図れる。
【図面の簡単な説明】
【００２６】
【図１】本考案の一実施形態として示す立体型植栽器の外観斜視図。
【図２】同上立体型植栽器の側面図。
【図３】同上立体型植栽器における貯水箱の外観斜視図。
【図４】収納状態で示す同上立体型植栽器の側面図。
【図５】同上立体型植栽器における小箱体の平面図。
【図６】同上立体型植栽器における小箱体の斜視図。
【図７】図４〜図６に示す同上小箱体の部分拡大斜視図。
【図８】図４〜図６に示す同上小箱体の部分拡大斜視図。
【図９】図４〜図６に示す同上小箱体の部分拡大斜視図。
【図１０】同上立体型植栽器における最底端の小箱体の平面図。
【図１１】同上立体型植栽器における最底端の小箱体の斜視図。
【考案を実施するための最良の形態】
【００２７】
以下、本考案の実施形態による立体型植栽器を図面を参照しながら説明する。
【実施例】
【００２８】
図１乃至図４に示すように、本考案に係る立体型植栽器は、貯水箱１０と、多数個の小鉢体３０，３０Ａを上下方向に順に積み重ねてなる多段型植木鉢体２０とを備えている。
【００２９】
図４に示すように、前記貯水箱１０は、矩形状をした箱体として形成されており、上面には取付座１１及び開閉蓋１２が設けられ、内部には水を溜めることができるようになっている。
【００３０】
前記取付座１１は、略円環状を呈し、かつ、前記貯水箱１０の上面から上方に突出して設けられており、前記多段型植木鉢体２０の下端が嵌入可能になっている。また、該取付座１１内には、底板１３を設けてある。該底板１３には、貫通した複数個の水通孔１４が形成されており、前記取付座１１に集められた水を該水通孔１４を通して前記貯水箱１０内に流すことができるようになっている。なお、ここでの前記水通孔１４は、前記取付座１１内に収集された水は前記貯水箱１０内に排出させ、培養土の通過は阻止して前記貯水箱１０内に培養土が入り込まない大きさで形成される。
【００３１】
前記開閉蓋１２は、前記貯水箱１０の上面開口を塞いで開閉可能に取り付けられており、開けることにより前記貯水箱１０内に溜まっている水を上記上面開口から外部に排出するのを可能にする。
【００３２】
前記多段型植木鉢体２０は、複数個の小箱体３０，３０…と最底端に配置される１個の小箱体３０Ａを上下方向に順に積み重ねて、タワー状に形成されている。そして、該多段型植木鉢体２０は、図１及び図２に示すように、上下方向に積み重ねられている各小箱体３０，３０…、及び、最底端の小箱体３０Ａを、それぞれ互いに所定の角度ずつ水平方向に回転させてずらすことにより展開させ、この状態で該最底端の小箱体３０Ａを前記取付座１１に嵌入させると、該貯水箱１０上に直立状態で設置できるようになっている。また、該取付座１１に設置された状態で、その各小箱体３０，３０Ａ内に培養土を入れ、さらに該培養土に草花、野菜、果物等を植え込むことにより、その栽培ができ、同時に鑑賞することができる。
【００３３】
反対に、各小箱体３０，３０Ａ内に培養土及び草花、野菜、果物等を入れてない状態で、図４に示すように各小箱体３０，３０…及び最底端の小箱体３０Ａの位置をそれぞれ上下方向で互いに一致させると、各小箱体３０，３０…及び最底端の小箱体３０Ａ内に各小箱体３０，３０…及び最底端の小箱体３０Ａの各一部をそれぞれ互いに収納係合させて、該多段型植木鉢体２０の全体の高さを収納及び搬送に有利なように縮小させることができる。
【００３４】
さらに詳述すると、前記各小箱体３０は、図５及び図６に示すように、下方の外径が上方の内径よりも若干小さく、また底面に底板３４を設けて上面が開口されてなる有底円筒状の本体部３１を有している。該本体部３１の外周部には、該本体部３１から外側に突出して複数個の植え込み凸体３２が略等間隔で設けられ、また、植え込み凸体３２と植え込み凸体３２の間の各周縁部には、該周縁部から外側へ向かって水平に突設されてなる辺縁部３６が各々形成されている。さらに、前記底板３４には、複数個の小径の水通孔３３が形成されている。なお、ここでの水通孔３３は、前記小箱体３０内に入れられた水を下側へ排出させ、培養土の通過は阻止する大きさにして形成される。
【００３５】
また、図７に示すように、前記各小箱体３０には、各植え込み凸体３２の外側底面に位置してそれぞれ当接片３５が設けられている。各当接片３５には、前記本体部３１の前記辺縁部３６と係合可能な係合溝３５１が形成されている。該係合溝３５１は、図１及び図２に示すように、各小箱体３０，３０を互いに水平方向に回転させて所定の角度ずらして展開させたとき、上方側の小箱体３０の係合溝３５１内に下方側の小箱体３０の前記辺縁部３６を係合させると互いに連結することができる。そして、この連結を段毎に順に形成することにより、１個のタワー状に直立した多段型植木鉢体２０を組み立てることができるようになっている。
【００３６】
前記多段型植木鉢体２０の最底端に配置される小箱体３０Ａは、図１０及び図１１に示すように、下方の嵌入部３１１Ａの外径が前記取付座１１の内径よりも若干小さく、かつ上方の内径が前記小箱体３０の下方外径よりも若干大きく形成されているとともに、底面に底板３４Ａを設けて上面が開口されてなる有底円筒状の本体部３１Ａを有している。
【００３７】
また、該小箱体３０Ａにおける本体部３１Ａの外周部には、該本体部３１Ａから外側に突出して複数個の植え込み凸体３２Ａが略等間隔で設けられ、また、植え込み凸体３２Ａと植え込み凸体３２Ａの間の各周縁部には、該周縁部から外側へ向かって水平に突設されてなる辺縁部３６Ａが各々形成されている。さらに、底板３４Ａには、複数個の小径の水通孔３３Ａが形成されている。なお、ここでの前記水通孔３３Ａは、前記小箱体３０Ａ内に入れられた水を下側へ排出させ、培養土の通過は阻止する大きさにして形成されている。
【００３８】
したがって、該小箱体３０Ａは、前記多段型植木鉢体２０の最底端において、前記小箱体３０の下側において、各小箱体３０，３０Ａを互いに水平方向に回転させて所定の角度ずらすと、該小箱体３０Ａの前記辺縁部３６Ａと上方側の前記小箱体３０の前記係合溝３５１が互いに係合されて連結し、該多段型植木鉢体２０の最底端に該小箱体３０Ａを取り付けることができる。
【００３９】
また、前記小箱体３０をそれぞれ展開させ、かつ、前記小箱体３０Ａを最底端に取り付けた多段型植木鉢体２０は、前記取付座１１内に前記小箱体３０Ａの前記嵌入部３１１Ａを嵌入させると、前記貯水箱３０Ａ上に直立状態にして設置することができる。図１及び図２はその設置状態を示し、図４は格納・収納状態を示す。
【００４０】
そして、図１及び図２に示す展開状態では、その前記各小箱体３０，３０Ａ内に培養土を入れることができ、また該培養土中に草花、野菜、果物等を植え込むと、それを植栽することができる。
【００４１】
なお、好ましくは、最上段の前記小箱体３０の中には、培養土及び植栽をしないようにしておく。このようにしておくと、潅水をする場合に、最上段の該小箱体３０の中に水を撒くと、この撒かれた水は前記各小箱体３０，３０…の前記各底板３４の前記水通孔３３を通過して最底端の前記小箱体３０Ａ内に至る。さらに、該小箱体３０Ａの前記底板３４の前記水通孔３３Ａを通過して、前記取付座１１から前記貯水箱１０の中に流入到達し、該貯水箱１０内に貯留される。
【００４２】
また、立体型植栽器を使用しないときは、図４に示すように各小箱体３０，３０…及び最底端の小箱体３０Ａの位置を上下で一致させると、各小箱体３０，３０…及び最底端の小箱体３０Ａ内に各小箱体３０，３０…及び最底端の小箱体３０Ａの各一部をそれぞれ互いに収納係合させて、該多段型植木鉢体２０の全体の高さを収納及び搬送に有利なように縮小させることができる。
【００４３】
なお、本考案は、本考案の精神を逸脱しない限り種々の改変を為すことができ、そして、本考案が該改変されたものに及ぶことは当然である。
【産業上の利用可能性】
【００４４】
本考案は、立体型植栽器に類似するこれ以外の立体型植栽器にも応用できる。
【符号の説明】
【００４５】
１０      貯水箱
１１      取付座
１２      開閉蓋
１３      底板
１４      水通孔
２０      多段型植木鉢体
３０      小箱体
３０Ａ    最底端の小箱体
３１      本体部
３１Ａ    本体部
３２      植え込み凸体
３２Ａ    植え込み凸体
３３      水通孔
３３Ａ    水通孔
３４      底板
３４Ａ    底板
３５      当接片
３５１    係合溝
３６      辺縁部
３６Ａ    辺縁部
３１１Ａ    嵌入部
【図１】
0003168954.tif 000003
【図２】
0003168954.tif 000004
【図３】
0003168954.tif 000005
【図４】
0003168954.tif 000006
【図５】
0003168954.tif 000007
【図６】
0003168954.tif 000008
【図７】
0003168954.tif 000009
【図８】
0003168954.tif 000010
【図９】
0003168954.tif 000011
【図１０】
0003168954.tif 000012
【図１１】
0003168954.tif 000013